(57)【要約】  【課題】  記録再生装置の筺体内部の温度分布を均一にする。  【解決手段】  筺体１の内面に、複数の温度センサー付ペルチェ素子２を２次元的に配置する。温度センサー付ペルチェ素子２は、温度センサーとペルチェ素子とを備える。制御回路３は、各温度センサー付ペルチェ素子２内の温度センサーによって検出された筺体各部の温度に基づいて、各温度センサー付ペルチェ素子２内のペルチェ素子の加熱・冷却を制御する。温度が高い場合は冷却させ、温度が低い場合は加熱させる。これにより、筺体内部の温度分布を均一にすることができる。【選択図】  図１
2006338846.tif 000002
【特許請求の範囲】
【請求項１】
記録再生装置の筺体内部において、加熱・冷却手段と温度検出手段とを含む１以上の温度調節手段を、前記筺体の一側面と平行になるように２次元的に配置しており、
前記温度調節手段は、前記温度検出手段により測定した温度に基づき、前記加熱・冷却手段により加熱または冷却を行なうことを特徴とする記録再生装置。
【請求項２】
記録再生装置の筺体内部において、加熱手段または冷却手段と温度検出手段とを含む１以上の温度調節手段を、前記筺体の一側面と平行になるように２次元的に配置しており、
前記各温度調節手段は、その配置される位置における記録再生装置の作動時の温度の高低に応じて、加熱手段または冷却手段を含んでおり、
前記温度調節手段は、前記温度検出手段により測定した温度に基づき、前記加熱手段または冷却手段により加熱または冷却を行なうことを特徴とする記録再生装置。
【請求項３】
前記加熱・冷却手段、前記加熱手段、前記冷却手段は、ペルチェ素子により構成されていることを特徴とする請求項１または２に記載の記録再生装置。
【発明の詳細な説明】
【技術分野】
【０００１】
本発明は、ＡＶ（オーディオ・ビジュアル）信号の記録再生装置に関し、特に、筺体内部の温度分布を均一化して過熱を防ぐ手段を備えた記録再生装置に関する。
【背景技術】
【０００２】
ＡＶ信号をデジタル記録し、記録したＡＶ信号を再生する記録再生装置において、従来は、情報記録媒体および発熱電子部品を冷却するためにそれらの周囲に空間を設け、ファンを用いて冷却していた。
【０００３】
また、ペルチェ素子と温度センサーを用いて記録媒体の回転系の温度を一定に保つことが提案されている（特許文献１参照）。
【０００４】
【特許文献１】特開２００２−１３４９７４号公報
【発明の開示】
【発明が解決しようとする課題】
【０００５】
従来の技術においては、情報記録媒体および発熱電子部品の周囲に空間を設け、ファンによって強制換気することにより温度上昇を低減させていた。この場合、情報記録媒体および発熱電子部品の周囲には一定の空間が必要であるため、装置を小型化することができない上、ファンによる騒音の問題が発生していた。
【０００６】
また、特許文献１に記載されているペルチェ素子と温度センサーを用いて、記録媒体の回転系の温度を一定に保つだけでは、記録媒体の全面に亘って温度を一定にする必要があるデバイスにおいては、温度変化によって位置決めが正確に行なわれず、記録・再生を正確に行なうことができない。さらに、温度センサーとペルチェ素子の位置関係、筺体とペルチェ素子の取り付け方法などについても記載がなく、正確に温度を制御するための方法が記載されていない。
【０００７】
本発明は、上記事情に鑑みてなされたもので、筺体内部の温度分布を均一にすることができる記録再生装置を提供することを目的とする。
【課題を解決するための手段】
【０００８】
本発明に係る記録再生装置は、筺体の内壁に沿って、加熱・冷却手段と温度検出手段とが一体化された温度調節手段が２次元的に配置されている。
【０００９】
筺体の内面に、加熱・冷却手段と温度検出手段とが一体化された温度調節手段を複数個２次元的に配置することで、筺体の各部毎に、温度を検出し、検出した温度に応じて加熱または冷却を行なうことができる。これにより、筺体内部の温度を均一に保つことができる。
【００１０】
また、本発明に係る記録再生装置は、筐体の内壁に沿って、加熱手段又は冷却手段と温度検出手段とが一体化された温度調節手段が筺体内部の発生温度分布に応じて配置されている。ここで、発生温度分布に応じて配置するとは、記録再生装置の作動時に高温になる部分には冷却手段を有する温度調節手段を配置し、低温になる部分には加熱手段を有する温度調節手段を配置することである。
【００１１】
筺体の内面に、加熱・冷却手段と温度検出手段とが一体化された温度調節手段を筺体内部の発生温度分布に応じて配置することで、記録再生装置の作動時に高温となる部分を冷却し、低温となる部分を加熱することができ、これにより筺体内部の温度を均一に保つことができる。
【００１２】
なお、加熱・冷却手段としてペルチェ素子を用いれば、ペルチェ素子に供給する電流の向きによって、加熱と冷却を切り替えることができる。
【発明の効果】
【００１３】
本発明によれば、筺体の各部毎に温度を検出し、検出した温度に応じて筺体内部を加熱または冷却するので、筺体内部の温度を均一に保つことができる。
【００１４】
温度調節手段は熱交換素子であるペルチェ素子と温度センサーとをペアで一体化した構成とし、その小範囲のセグメント構造を集合させた構造としているので、筺体内部の正確な温度を測定し、筺体内部の広範囲にわたり温度を正確に制御することが可能となる。また、冷却ファン用の穴を設けないため、筺体内部の騒音を抑えることが可能となる。
【発明を実施するための最良の形態】
【００１５】
以下、本発明の実施の形態について、図面を参照して説明する。
【００１６】
図１は本発明の第１実施形態の記録再生装置の要部構成を示す分解斜視図、図２は本発明の第１実施形態の記録再生装置の要部構成を示す断面図である。図１および図２に示すように、記録再生装置の筺体１の内面には、加熱・冷却手段と温度検出手段とが一体化された温度調節手段としての温度センサー付ペルチェ素子２が、複数個２次元的に貼り合わされている。制御回路３は、温度センサー付ペルチェ素子２の温度センサーによって検出された温度に基づいて、温度センサー付ペルチェ素子２の加熱または冷却を制御する。筺体１と温度センサー付ペルチェ素子２とは密着するように配置され、筺体内部の温度分布に従って個々の温度センサー付ペルチェ素子２を制御するため、ペルチェ素子が持つ熱交換作用によって、筺体内部の全面の温度が制御できる。
【００１７】
図３は温度センサー付ペルチェ素子の構造図である。図３に示すように、温度センサー付ペルチェ素子２は、ペルチェ素子２０と、温度センサー４と、２枚の熱伝導幕５，５とを備えている。ペルチェ素子２０は、Ｐ型半導体２１，２１と、Ｎ型半導体２２と、各半導体間を接続する導体２３から構成されている。各々のペルチェ素子２０は、熱伝導幕５，５で熱的に結合される。筺体内部側の熱伝導幕５には、温度センサー４が取り付けられている。
【００１８】
ペルチェ素子２０には、電源が加えられるが、電極Ａに＋電源、電極Ｂに−電源を加えた場合、筺体内部側は発熱が起こり、反対側では吸熱が起こるため、筺体内部を加熱することができる。逆に、電極Ａに−電源、電極Ｂに＋電源を加えた場合、筺体内部側は吸熱が起こり、反対側では発熱が起こるため、筺体内部を冷却することができる。
【００１９】
また、温度センサー４は、熱伝導幕５を通して筺体内部と接しているので、筺体内部の温度を正確に検出することができる。
【００２０】
温度センサー付ペルチェ素子２は、このような構成をとるため、図１および図２で示した制御回路３は、温度センサー４からの正確な筺体内部の温度分布を読み取ることができ、この温度情報に従って、個々のペルチェ素子２０に加える電圧を制御する。この様な構造を持つ温度センサー付ペルチェ素子２が、筺体１の内側に２次元的に配置されるため、筺体内部の温度分布を正確に検知し、それに応じた制御が可能となる。
【００２１】
図４は温度センサー付ペルチェ素子を筺体内面に２次元的に配置した例を示す説明図である。図４は筺体の内面に１６個の温度センサー付ペルチェ素子２を格子状に配置した例を示している。１６セグメントのそれぞれで温度検出を行なうので、筺体内部の温度分布を正確に検知し、それに応じた加熱・冷却制御が可能となる。
【００２２】
図５は温度制御の一例を示す説明図である。ここでは、筺体の中心部の温度が高い場合の例を示す。個々のセグメントの温度センサーの出力は、中心にあるセグメント（Ｐ２２，Ｐ２３，Ｐ３２，Ｐ３３）の温度が高く、周辺部（Ｐ１１〜Ｐ１４，Ｐ２１，Ｐ２４，Ｐ３１，Ｐ３４，Ｐ４１〜Ｐ４４）は温度が低くなる。このため、制御回路３は、これらの情報を受け、中心部（Ｐ２２，Ｐ２３，Ｐ３２，Ｐ３３）は冷却、それ以外の周辺部は加熱するようにペルチェ素子を制御する。これにより、中心部は温度が下り、周辺部は温度が上がる。したがって、筺体内部の温度分布を均一にできる。
【００２３】
図６は本発明の第２実施形態の記録再生装置の要部構成を示す説明図である。第１実施形態は、熱交換素子を細かいセグメントに分け、個々のセグメントを制御できるため、熱の発生分布が変わるような場合に非常に有効である。第２実施形態は、熱発生分布がほとんど変わらない場合に有効な手段である。筺体内部において、情報記録媒体、発熱電子部品の周辺が高温となり、その他はあまり温度上昇しない。よって、発熱部分が決まっており、ある程度固定することができる。そこで、温度センサー付ペルチェ素子を２つのグループに分け、ペルチェ素子セグメント２Ａは筺体１の高温部を冷却するように制御し、低温部はペルチェ素子セグメント２Ｂによって筺体側を加熱するように制御する。このようにすることにより、実施形態１に比べ、素子および制御回路を簡素化できる。
【産業上の利用可能性】
【００２４】
本発明によれば、筺体の各部毎に温度を検出し、検出した温度に応じて筺体内部を加熱または冷却するので、筺体内部の温度を均一に保つことができるという効果を有し、記録再生装置等の電子機器に有用である。
【図面の簡単な説明】
【００２５】
【図１】本発明の第１実施形態の記録再生装置の要部構成を示す分解斜視図。
【図２】本発明の第１実施形態の記録再生装置の要部構成を示す断面図。
【図３】温度センサー付ペルチェ素子の構造図。
【図４】温度センサー付ペルチェ素子を筺体内面に２次元的に配置した例を示す説明図。
【図５】温度制御の一例を示す説明図。
【図６】本発明の第２実施形態の記録再生装置の要部構成を示す説明図。
【符号の説明】
【００２６】
１  筺体
２  温度センサー付ペルチェ素子
３  制御回路
４  温度センサー
５  熱伝導幕
２０  ペルチェ素子
２１  Ｐ型半導体
２２  Ｎ型半導体
２３  導体
【図１】
2006338846.tif 000003
【図２】
2006338846.tif 000004
【図３】
2006338846.tif 000005
【図４】
2006338846.tif 000006
【図５】
2006338846.tif 000007
【図６】
2006338846.tif 000008